(57)【要約】【課題】固定焦点距離を有するが視野を調整することができるレンズモジュールを提供する。【解決手段】ベース、レンズ、前面カバー、第１組の遮光板、第２組の遮光板、及びガスケットを含むレンズモジュールを提供する。レンズはベース上に配置されている。前面カバーはベース及びレンズの上方に回転可能に配置され、前面カバーは第１通し穴を有する。第１組の遮光板及び第２組の遮光板の各々はベース上で旋回する。第２組の遮光板と第１組の遮光板とは互いに干渉し合う。ガスケットは第１通し穴内に固定され、第２組の遮光板に結合されている。ガスケットは第２通し穴を有する。ベースと前面カバーとが相対的に回転すると、ガスケットが前面カバーと共に回転して、第１組の遮光板及び第２組の遮光板を駆動して限定的に振れ動かす。【選択図】図１
2018087955.tif 000002
【特許請求の範囲】
【請求項１】
ベースと、
前記ベース上に配置されたレンズと、
前記ベース及び前記レンズの上方に回転可能に配置され、前記レンズに対応して配置された第１通し穴を有する前面カバーと、
前記ベース上で旋回する第１組の遮光板と、
前記ベース上で旋回する第２組の遮光板と、
前記前面カバーの第１通し穴内に固定されたガスケットとを具えたレンズモジュールであって、
前記第１組の遮光板は、前記ベースと前記第２組の遮光板との間に配置され、前記第１組の遮光板と前記第２組の遮光板とは互いに干渉し合い、
前記第２組の遮光板は、前記ガスケットと前記第１組の遮光板との間に配置され、前記ガスケットと前記第２組の遮光板とは互いに結合され、前記ガスケットは、前記レンズに対応して配置された第２通し穴を有し、前記ベースと前記前面カバーとが相対的に回転すると、前記ガスケットが前記前面カバーと共に回転して、互いに干渉し合う前記第１組の遮光板及び前記第２組の遮光板を駆動して前記ベースに対して限定的に振れ動かし、これにより、前記第１組の遮光板及び前記第２組の遮光板が前記第２通し穴内に移動して前記レンズの少なくとも一部分を覆い、あるいは、前記第２通し穴から離れるように移動して前記レンズを露出させる、レンズモジュール。
【請求項２】
前記ベースが少なくとも１つの第１ガイド部を有し、前記前面カバーが少なくとも１つの第２ガイド部を有し、前記第１ガイド部と前記第２ガイド部とが互いに結合され、前記第１ガイド部及び前記第２ガイド部は前記レンズの周囲に配置されている、請求項１に記載のレンズモジュール。
【請求項３】
前記第１ガイド部が摺動ブロックであり、前記第２ガイド部が摺動スロットである、請求項２に記載のレンズモジュール。
【請求項４】
前記第１組の遮光板が２枚の第１遮光板を具え、該第１遮光板の各々が第３ガイド部を有し、前記第２組の遮光板が２枚の第２遮光板を具え、該第２遮光板の各々が第４ガイド部を具え、前記第１遮光板と前記第２遮光板とは対をなして配置され、前記第１遮光板の各々と、それに対応する前記第２遮光板とは、それぞれに対応する前記第３ガイド部及び前記第４ガイド部により互いに結合されている、請求項１に記載のレンズモジュール。
【請求項５】
前記第３ガイド部の各々が摺動ピンであり、前記第４ガイド部の各々が摺動スロットである、請求項４に記載のレンズモジュール。
【請求項６】
前記第２遮光板の各々が第５ガイド部を有し、前記ガスケットが２つの第６ガイド部を有し、前記第５ガイド部のそれぞれが、前記２つの第６ガイド部のそれぞれと互いに結合され、前記第５ガイド部の各々、及びそれに対応する前記第４ガイド部は、それらに対応する前記第２遮光板の対向する２つの側部に配置されている、請求項４に記載のレンズモジュール。
【請求項７】
前記第５ガイド部の各々が摺動ピンであり、前記第６ガイド部の各々が摺動スロットである、請求項６に記載のレンズモジュール。
【請求項８】
前記第１遮光板の各々が第１片方側端を有し、前記第２遮光板の各々が第２片方側端を有し、前記ベースと前記前面カバーとが相対的に回転すると、前記ガスケットが前記前面カバーと共に回転して、前記第２遮光板を前記ベースに対して限定的に振れ動かし、前記第１遮光板が当該第１遮光板に対応する前記第２遮光板によって駆動されて、前記ベースに対して限定的に振れ動き、２つの前記第１片方側端が互いに結合され、２つの前記第２片方側端が互いに結合された後に、前記第１組の遮光板及び前記第２組の遮光板が前記レンズを覆う、請求項４に記載のレンズモジュール。
【請求項９】
前記２枚の第１遮光板のそれぞれが、前記ベースの一対の対向する隅部のそれぞれに旋回可能に接続され、前記２枚の第２遮光板のそれぞれが、前記ベースの一対の対向する隅部のそれぞれに旋回可能に接続されている、請求項４に記載のレンズモジュール。
【請求項１０】
前記ガスケットが少なくとも１つのスロットをさらに有し、前記前面カバーが少なくとも１つのフックをさらに有し、前記スロットと前記フックとが互いに係合し合う、請求項１に記載のレンズモジュール。
【請求項１１】
前記前面カバーが、前記ガスケットを支持するように構成された少なくとも１つの支持部を有し、これにより、前記ガスケット及び前記ベースが、前記第１組の遮光板及び前記第２組の遮光板を収容する空間を規定する、請求項１に記載のレンズモジュール。
【発明の詳細な説明】
【技術分野】
【０００１】
関連出願のクロスリファレンス
本願は、台湾特許出願第１０５２１８２４６号、２０１６年１１月２９日出願に基づいて優先権を主張する。上記特許出願の全文は、参照することにより本明細書に含め、本明細書の一部を構成する。
【０００２】
発明の背景
発明の分野
本発明はレンズモジュールに関するものであり、特に、調整可能な視野を有するレンズモジュールに関するものである。
【背景技術】
【０００３】
関連技術の説明
レンズモジュールは、携帯電話、ノート型コンピュータ、タブレット・コンピュータ、カメラ、ビデオカメラ、あるいはモニタにおいて、画像を捕捉しビデオを記録するために一般に用いられている。一般に、固定焦点距離を有するレンズモジュールは固有の視野を有する。従って、撮影される対象物とレンズモジュールとの間の距離は、視野内の周囲の背景に対する対象物の割合（対象物対背景比）に影響し得る。より具体的には、対象物がレンズモジュールに比較的近い場合、対象物が視野内に占める面積の割合は相対的に高くなる。レンズモジュールは静止しているが対象物はレンズモジュールから離れるように移動する場合、対象物が視野内に占める面積の割合は減少し、周囲の背景が視野内に占める面積の割合は増加する。
【０００４】
こうした条件下では、写真撮影者は、撮影後に、生成された画像中の背景を画像処理ソフトウェアによって除去する必要がある。しかし、上述した画像撮影後の段階後に得られる画像中の対象物のエッジは、より粗く不明瞭になりがちである。
【発明の概要】
【発明が解決しようとする課題】
【０００５】
本発明は、固定焦点距離を有するが視野を調整することができるレンズモジュールを提供する。
【課題を解決するための手段】
【０００６】
本発明は、ベース、レンズ、前面カバー、第１組の遮光板、第２組の遮光板、及びガスケットを含むレンズモジュールを提案する。レンズはベース上に配置されている。前面カバーはベース及びレンズの上方に配置され、前面カバーはレンズに対応して配置された第１通し穴（スルーホール）を有する。第１組の遮光板はベース上で旋回する。第２組の遮光板はベース上で旋回し、第１組の遮光板はベースと第２組の遮光板との間に配置され、第１組の遮光板と第２組の遮光板とは互いに干渉し合う。ガスケットは、前面カバーの第１通し穴内に固定され、第２組の遮光板はガスケットと第１組の遮光板との間に配置され、ガスケットと第２組の遮光板とは互いに結合されている。ガスケットはレンズに対応して配置された第２通し穴を有し、ベースと前面カバーとが相対的に回転すると、ガスケットが前面カバーと共に回転して、互いに干渉し合う第１組の遮光板及び第２組の遮光板を駆動して、ベースに対して限定的に振れ動かし、これにより第１組の遮光板及び第２組の遮光板は、第２通し穴内に移動してレンズの少なくとも一部分を覆い、あるいは、第２通し穴から離れるように移動してレンズを露出させる。
【０００７】
本発明の一好適例では、ベースが少なくとも１つの第１ガイド部を有し、前面カバーが少なくとも１つの第２ガイド部を有し、第１ガイド部と第２ガイド部とは互いに結合され、第１ガイド部及び第２ガイド部はレンズの周囲に配置されている。
【０００８】
本発明の一好適例では、第１ガイド部が摺動（スライディング）ブロックであり、第２ガイド部が摺動スロットである。
【０００９】
本発明の一好適例では、第１組の遮光板が２枚の第１遮光板を含み、第１遮光板の各々が第３ガイド部を有する。第２組の遮光板は２枚の第２遮光板を含み、第２遮光板の各々が第４ガイド部を有する。第１遮光板と第２遮光板とは対をなして配置され、第１遮光板の各々とそれに対応する第２遮光板とは、それぞれに対応する第３ガイド部及び第４ガイド部により互いに結合されている。
【００１０】
本発明の一好適例では、第３ガイド部の各々が摺動ピンであり、第４ガイド部の各々が摺動スロットである。
【００１１】
本発明の一好適例では、第２遮光板の各々が第５ガイド部を有し、ガスケットが２つの第６ガイド部を有する。２つの第５ガイド部のそれぞれは、２つの第６ガイド部のそれぞれと互いに結合されている。第５ガイド部の各々、及びそれに対応する第４ガイド部は、それらに対応する第２遮光板の互いに対向する側部に配置されている。
【００１２】
本発明の一好適例では、第５ガイド部の各々が摺動ピンであり、第６ガイド部の各々が摺動スロットである。
【００１３】
本発明の一好適例では、第１遮光板の各々が第１片方側端を有し、第２遮光板の各々が第２片方側端を有する。ベースと前面カバーとが相対的に回転すると、ガスケットが前面カバーと共に回転し、第２遮光板の各々を駆動してベースに対して限定的に振れ動かし、第１遮光板の各々がそれに対応する第２遮光板によって駆動されてベースに対して限定的に振れ動き、２つの第１片方側端が互いに結合され、２つの第２片方側端が互いに結合された後に、第１組の遮光板及び第２組の遮光板がレンズを覆う。
【００１４】
本発明の一好適例では、２枚の第１遮光板のそれぞれが、ベースの一対の対向する隅部（コーナー）のそれぞれに旋回可能に接続され、２枚の第２遮光板のそれぞれが、ベースの他の一対の対向する隅部のそれぞれに旋回可能に接続されている。
【００１５】
本発明の一好適例では、ガスケットが少なくとも１つのスロットをさらに有し、前面カバーが少なくとも１つのフックをさらに有し、これらのスロットとフックとは互いに係合し合う。
【００１６】
本発明の一好適例では、前面カバーが、ガスケットを支持するように構成された少なくとも１つの支持部を有し、これによりガスケット及びベースが、第１組の遮光板及び第２組の遮光板を収容する空間を規定する。
【００１７】
以上に基づいて、本発明の固定焦点距離を有するレンズモジュールでは、レンズの上方に配置された第１組の遮光板及び第２組の遮光板が手動で制御されて、レンズモジュールの視野を調整するように移動する。
【００１８】
本発明の上述した特徴及び利点、及び他の特徴及び利点をより分かり易くするために、図面を添付したいくつかの好適な実施形態を以下に詳細に説明する。
【図面の簡単な説明】
【００１９】
【図１】本発明の一実施形態によるレンズモジュールの概略分解図である。
【図２】図１のレンズモジュールの第１状態における概略組立図である。
【図３】第１状態から第２状態へ転換中の図２のレンズモジュールの概略図である。
【図４】第２状態から第３状態へ転換中の図３のレンズモジュールの概略図である。
【発明を実施するための形態】
【００２０】
実施形態の説明
図１は、本発明の一実施形態によるレンズモジュールの概略分解図である。図２は、図１のレンズモジュールの第１状態における概略組立図である。説明を明瞭にし容易にするために、図２では、第２組の遮光板１５０及びガスケット１６０を透明に描画し、図２に示す第１状態を全閉状態と称することがある。図１〜２を参照すれば、本実施形態では、レンズ１００は、携帯電話、ノート型コンピュータ、タブレット・コンピュータ、カメラ、ビデオカメラ、あるいはモニタに応用可能である。例えば、レンズモジュール１００は制御部（図示せず）に電気結合することができ、制御部（図示せず）は無線（または有線）送信部（図示せず）に電気結合することができる。従って、ユーザは信号を無線（または有線）送信部（図示せず）に遠隔的に送信することができ、無線（または有線）送信部（図示せず）は、受信した信号を制御部（図示せず）へ送信する。この時、制御部（図示せず）は、レンズモジュール１００を制御して、この信号に応じて画像を捕捉しビデオを記録する。他の実施形態では、レンズモジュールを本体（図示せず）と組み合わせることができ、対応する物理的または仮想的なボタンが本体（図示せず）上に設けられ、ユーザは物理的または仮想的なボタンを押すかこれらのボタンに触れて、レンズモジュールを制御して画像を捕捉しビデオを記録することができる。本発明における、レンズモジュールを制御して画像を捕捉しビデオを記録する方法は、限定的なものではない。
【００２１】
レンズモジュール１００は、ベース１１０、レンズ１２０、前面カバー１３０、第１組の遮光板１４０、第２組の遮光板１５０、及びガスケット１６０を含む。これに加えて、レンズ１２０はベース１１０上に配置され、ベース１１０内に埋め込まれている。ベース１１０は、レンズ１２０の少なくとも一部分を露出させるように構成された窓領域１１１を有する。前面カバー１３０は、ベース１１０及びレンズ１２０の上方に回転可能に配置され、前面カバー１３０は、レンズ１２０に対応して配置された第１通し穴１３１を有する。より具体的には、第１通し穴１３１は、レンズ１２０の直上に位置して、窓領域１１１及びレンズ１２０と整列している。
【００２２】
第１組の遮光板１４０及び第２組の遮光板１５０の各々は、ベース１１０上で旋回し、第１組の遮光板１４０は、ベース１１０と第２組の遮光板１５０との間に配置されている。より具体的には、第１組の遮光板１４０と第２組の遮光板１５０とは互いに干渉し合い、第１組の遮光板１４０は２枚の第１遮光板１４１を含み、第２組の遮光板１５０は２枚の第２遮光板１５１を含み、２枚の第１遮光板１４１のそれぞれは、ベース１１０の一対の対向する隅部のそれぞれに旋回可能に接続され、２枚の第２遮光板１５１のそれぞれは、ベース１１０の一対の対向する隅部のそれぞれに旋回可能に接続されている。第１遮光板１４１及び第２遮光板１５１は対をなして配置され、一対の第１遮光板１４１と一対の第２遮光板１５１とは互いに干渉し合う。ガスケット１６０は前面カバー１３０の第１通し穴１３１内に固定され、第２組の遮光板１５０は、ガスケット１６０と第１組の遮光板１４０との間に配置され、ガスケット１６０と第２遮光板１５１の各々とは互いに結合されている。例えば、ガスケット１６０は少なくとも１つのスロット１６１を有することができ、前面カバー１３０は少なくとも１つのフック１３２を有することができ、フック１３２は第１通し穴１３１の内側に配置された突起であり、スロット１６１とフック１３２とは互いに係合し合って、ガスケット１６０を第１前面カバー１３０の第１通し穴１３１内に固定する。他の実施形態では、これらのスロット及びフックの位置を入れ替えることができる。例えば、フックをガスケット上に配置し、スロットを前面カバーの第１通し穴の内側に配置することができる。
【００２３】
本実施形態では、ガスケット１６０が、レンズ１２０に対応して配置された第２通し穴１６２を有し、第２通し穴１６２は、レンズ１２０の直上に配置されて、第１通し穴１３１、レンズ１２０、及び窓領域１１１と整列する。一方、前面カバー１３０は、ガスケット１６０を支持するように構成された少なくとも１つの支持部を有し、これにより、ガスケット１６０とベース１１０との間のギャップが、第１組の遮光板１４０及び第２組の遮光板１５０を収容するための空間を規定するように維持される。図２は、レンズ１２０が第１組の遮光板１４０及び第２組の遮光板１５０によって覆われていることを表す第１状態（全閉状態）を例示し、第１遮光板１４１の各々は第１の片方側端１４１ａを有し、第２遮光板１５１の各々は第２の片方側端１５１ａを有する。図２の第１状態（全閉状態）では、２つの第１片方側端１４１ａが互いに結合され、２つの第２片方側端１５１ａが互いに結合され、これにより、レンズ１２０が第１組の遮光板１４０及び第２組の遮光板１５０によって覆われる。
【００２４】
図３は、第１状態から第２状態へ転換中の図２のレンズモジュールの概略図である。図４は、第２状態から第３状態へ転換中の図３のレンズモジュールの概略図である。説明を明瞭にし容易にするために、図３〜４では、ガスケット１６０及び第２組の遮光板１５０を透明に描画し、図３に示す第２状態は半開状態と称することがあり、図４に示す第３状態は全開状態と称することがある。図２〜４を参照すれば、本実施形態では、前面カバー１３０とベース１１０とが相対的に回転すると、ガスケット１６０が前面カバー１３０と共に回転して、第２組の遮光板１５０を駆動してベース１１０に対して限定的に振れ動かし、第１組の遮光板１４０は第２組の遮光板１５０によって駆動されてベース１１０に対して限定的に振れ動き、これにより、第１組の遮光板１４０及び第２組の遮光板１５０が第２通し穴１６２内に移動してレンズ１２０の少なくとも一部分を覆い、あるいは、第２通し穴１６２から離れるように移動してレンズ１２０を露出させる。
【００２５】
詳細には、ベース１１０は少なくとも１つの第１ガイド部１１２を有し、前面カバー１３０は少なくとも１つの第２ガイド部１３４を有する。第１ガイド部１１２は弧形摺動ブロックとすることができ、第２ガイド部１３４は弧形摺動スロットとすることができ、第１ガイド部１１２と第２ガイド部１３４とは互いに結合され（即ち、弧形摺動ブロックは弧形摺動スロット内に摺動可能に配置され）、第１ガイド部１１２及び第２ガイド部１３４はレンズ１２０の周囲に配置されている。第１ガイド部１１２及び第２ガイド部１３４の案内により、ベース１１０と前面カバー１３０とは相対的に回転することができる。他の実施形態では、弧形摺動ブロックと弧形摺動スロットとを入れ替えることができる。例えば、弧形摺動スロットをベース上に配置することができ、弧形摺動ブロックを前面カバーの内側に配置することができる。
【００２６】
一方、２枚の第１遮光板１４１のそれぞれは、ベースの一対の対向する隅部のそれぞれに旋回可能に接続され、２枚の第２遮光板１５１のそれぞれは、ベースの一対の対向する隅部のそれぞれに旋回可能に接続されている。従って、２枚の第１遮光板１４１及び２枚の第２遮光板１５１は、ベース１１０に対して、４本の平行な異なる軸のそれぞれの周りに限定的に振れ動く。換言すれば、２枚の第１遮光板１４１及び２枚の第２遮光板１５１は、ベース１１０上に偏心して配置されている。第１遮光板１４１の各々は第３ガイド部１４１ｂを有し、第２遮光板１５１の各々は第４ガイド部１５１ｂを有し、第１遮光板１４１と第２遮光板１５１とは、対をなして、それぞれに対応する第３ガイド部１４１ｂ及び第４ガイド部１５１ｂにより互いに結合されている。本実施形態では、第３ガイド部１４１ｂの各々が摺動ピンであり、第４ガイド部１５１ｂの各々が摺動スロットであり、摺動ピンの各々が、それに対応する直線状の摺動スロット内に配置され、直線状の摺動スロットは、閉じ側死点１５１ｃ、及び閉じ側死点１５１ｃに対応する広がり側死点１５１ｄを有する。第１状態（全閉状態）では、第３ガイド部１４１ｂの各々が、それに対応する第４ガイド部１５１ｂの閉じ側死点１５１ｃに位置する。
【００２７】
第２遮光板１５１の各々は第５ガイド部１５１ｅを有し、第５ガイド部１５１ｅの各々、及びそれに対応する第４ガイド部１５１ｂは、それらに対応する遮光板１５１の対向する２つの側部に配置されている。ガスケット１６０は２つの第６ガイド部１６３を有し、２つの第５ガイド部１５１ｅのそれぞれは、２つの第６ガイド部１６３のそれぞれと互いに結合され、第５ガイド部１５１ｅの各々は摺動ピンであり、第６ガイド部１６３の各々は摺動スロットであり、摺動ピンの各々は、それに対応するスロット内に摺動可能に配置されている。他の実施形態では、第５ガイド部を摺動スロットとすることができ、第６ガイド部を摺動ピンとすることができる。
【００２８】
ユーザが手動でベース１１０と前面カバー１３０とを相対的に回転させると（即ち、ベース１１０が前面カバー１３０に対して回転方向Ｒに回転すると）、第２ガイド部１３４が、それに対応する第１ガイド部１１２に対して回転方向Ｒに沿って摺動し、これによりガスケット１６０が前面カバー１３０と共に回転する。この時、２つの第５ガイド部１５１ｅのそれぞれが、２つの第６ガイド部１６３のそれぞれによって案内され、これにより２枚の第２遮光板１５１が、ベース１１０に対して、それぞれの異なる振れ方向に限定的に振れ動く。２つの第３ガイド部１４１ｂのそれぞれは、２つの第４ガイド部１５１ｂのそれぞれによって案内され、これにより、２枚の第１遮光板１４１のそれぞれが、ベース１１０に対して、それぞれの異なる振れ方向に沿って限定的に振れ動く。２枚の第２遮光板１５１及び２枚の第１遮光板１４１が、ベース１１０に対して、それぞれの異なる振れ方向に沿って限定的に振れ動いた後に、第３ガイド部１４１の各々は、それに対応する第４ガイド部１５１ｂの閉じ側死点１５１ｃから離れ、２つの第１片方側端１４１ａが互いに離れ、２つの第２片方側端１５１ａも互いに離れる。従って、レンズモジュール１００は第１状態（全閉状態）から第２状態（半開状態）へ転換し、これによりレンズ１２０の一部分が第１組の遮光板１４０及び第２組の遮光板１５０によって覆われる。なお、ここでは、２枚の第１遮光板１４１及び２枚の第２遮光板１５１のそれぞれが、旋回軸端及びこの旋回軸端に対応する可動端を有するので、ベース１１０と前面カバー１３０とが相対的に回転すると、２枚の第１遮光板１４１及び２枚の第２遮光板１５１のそれぞれは、２つの第６ガイド部１６３によって案内される２つの第５ガイド部１５１ｅのそれぞれ、及び２つの第４ガイド部１５１ｂによって案内される２つの第３ガイド部のそれぞれにより限定的に振れ動く。
【００２９】
ベース１１０が前面カバー１３０に対して回転方向Ｒに沿って回転し続けると、２つの第６ガイド部１６３によって案内される２つの第５ガイド部、及び２つの第４ガイド部１５１ｂによって案内される２つの第３ガイド部１４１ｂにより、２枚の第１遮光板１４１及び２枚の第２遮光板１５１は、第２通し穴１６２から離れるように移動してレンズ１２０を露出させ、図４は第３状態（全開状態）を示す。この時、第３ガイド部１４１ｂの各々は、それに対応する第４ガイド部１５１ｂの広がり側死点１５１ｄに位置する。より具体的には、レンズ１２０が第１組の遮光板１４０及び第２組の遮光板１５０によって覆われる度合いは、図２に示す第１状態（全閉状態）、図３に示す第２状態（半開状態）、及び図４に示す第３状態（全開状態）の相互間で調整することができる。従って、レンズが第１組の遮光板１４０及び第２組の遮光板１５０によって覆われる度合いは、レンズ１２０が固定焦点距離を有していても制御することができ、これによりレンズモジュール１００の視野を調整することができる。例えば、対象物とレンズモジュール１００との間の距離が固定であれば、レンズ１２０が第１組の遮光板１４０及び第２組の遮光板１５０によって覆われる度合いを調整することによって、対象物が視野内に占める面積の割合が増加して、対象物の周囲の背景を除去する効果が得られる。
【００３０】
なお、ここでは、ユーザが第１組の遮光板１４０及び第２組の遮光板１５０でレンズ１２０を完全に覆う場合、レンズモジュール１００を図２に示す第１状態（全閉状態）に戻すためには、ベース１１０を前面カバー１３０に対して回転方向Ｒとは逆方向に回転させるだけでよい。
【００３１】
要約すれば、本発明における固定焦点距離を有するレンズモジュールは、手動で制御して、前面カバーとベースとを相対的に回転させて、第１組の遮光板及び第２組の遮光板を駆動してベースに対して限定的に振れ動かすことができ、レンズが第１組の遮光板及び第２組の遮光板によって覆われる度合いは、レンズモジュールの視野を調整するように制御可能である。例えば、対象物とレンズモジュールとの間の距離が固定であれば、レンズが第１組の遮光板及び第２組の遮光板によって覆われる度合いを調整することによって、対象物が視野内に占める面積の割合が増加して、対象物の周囲の背景を除去する効果が得られる。
【００３２】
本発明の精神及び範囲から逸脱することなしに、本発明の構造に種々の変更及び変形を加えることができることは、当業者にとって明らかである。以上のことを考慮すれば、本発明の変更及び変形が以下の特許請求の範囲及びその等価物の範囲内に入るのであれば、本発明はこれらの変更及び変形をカバーする。
【図１】
2018087955.tif 000003
【図２】
2018087955.tif 000004
【図３】
2018087955.tif 000005
【図４】
2018087955.tif 000006
【外国語明細書】
2018087955000001.pdf